(57)【要約】【課題】吸引チャンバの外側に殆どスペースを必要とせずに、吸引用開口列のうち用紙幅の範囲内の吸引用開口のみが吸引作用をする給紙装置の提供。【解決手段】吸引チャンバ１内に、吸引用開口２の配列方向に移動可能で、配列方向途中で空気の流れを遮断する障壁３を設け、その障壁３によって吸引チャンバ１の吸引用開口列のうち用紙幅の範囲内にある吸引用開口のみが吸引作用を有するようにする。これにより用紙幅より外側にある吸引用開口２から用紙幅範囲内の空間への外気の流入がなくなり用紙幅範囲内の吸引用開口の用紙吸引力が減殺されることがなくなる。用紙幅に合わせるための障壁３の移動は障壁移動桿４の他プーリ・ワイヤによって行う。【選択図】図１
2007197101.tif 000002
【特許請求の範囲】
【請求項１】
下面に複数の吸引用開口が列状に配列され該配列方向の一方側がエア吸引源側である吸引チャンバと、該吸引チャンバの下面を含む外周を吸引用開口の配列方向と直交する方向に周回する複数列のベルトにより、吸引チャンバ下面の下方にある給紙台上に積載された用紙束の最上位用紙を吸引チャンバの下面側を走行するベルトに吸着させてベルト走行方向へ送給する給紙装置であって、エア吸引源の吸引が及ぶ吸引チャンバ内空間を前記吸引用開口の配列方向に増減するよう移動可能の障壁と、この障壁に取り付けられ障壁の移動方向と同じ方向に延び吸引チャンバの吸引用開口の配列方向の非吸引源側端に出ている障壁移動手段を有することを特徴とする給紙装置。
【請求項２】
請求項１の構成に加えて、給紙台上の用紙束の給紙方向に対する側面側から用紙の積載・移動をガイドする用紙幅方向に可動の用紙ガイドと、この用紙ガイドの用紙幅方向の移動と障壁移動手段の移動とを連動させる連動機構とを有することを特徴とす給紙装置。
【請求項３】
下面に複数の吸引用開口が列状に配列され該配列方向の一方側がエア吸引源側である吸引チャンバと、該吸引チャンバの下面を含む外周を吸引用開口の配列方向と直交する方向に周回する複数列のベルトにより、吸引チャンバ下面の下方にある給紙台上に積載された用紙束の最上位用紙を吸引チャンバの下面側を走行するベルトに吸着させてベルト走行方向へ送給する給紙装置であって、エア吸引源の吸引が及ぶ吸引チャンバ内空間を前記吸引用開口の配列方向に増減するよう移動可能の障壁と、吸引チャンバの非吸引源側外側に配置した第１プーリと、吸引源側に配置した第２プーリと、これらプリー間にループ状に懸け渡された往復の片側が障壁に連結されたワイヤ又はベルトと、第１プーリを回す回動操作手段とを有することを特徴とする給紙装置。
【請求項４】
請求項３の構成に加えて、給紙台上の用紙束の給紙方向に対する側面側から用紙の積載・移動をガイドする用紙幅方向に可動の用紙ガイドと、用紙ガイドの後退側に配置した第３プーリと、用紙ガイドの前進側に配置した第４プーリと、これらプーリ間にループ状に懸け渡された往復の片側が用紙ガイドに連結されたワイヤ又はベルトと、第１プーリと同軸同回転する第５プーリと、第３プーリと同軸同回転する第６プーリと、第５プーリと第６プーリ間に懸け渡された連動用ワイヤ又は連動用ベルトを有することを特徴とする給紙装置。
【請求項５】
下面に複数の吸引用開口が列状に配列され、その配列方向の途中位置にエア吸引源への連結口がある吸引チャンバと、該吸引チャンバの下面を含む外周を吸引用開口の配列方向と直交する方向に周回する複数列のベルトにより、吸引チャンバ下面の下方にある給紙台上に積載された用紙束の最上位用紙を吸引チャンバの下面側を走行するベルトに吸着させてベルト走行方向へ送給する給紙装置であって、エア吸引源への連結口を含みエア吸引源の吸引が及ぶ吸引チャンバ内の空間を左右対称に増減するように移動可能な第１障壁および第２障壁と、吸引チャンバの吸引用開口配列方向の第１障壁側端部に配置した第１プーリと、第２障壁側端部に配置した第２プーリと、両プーリ間にループ状に懸け渡され往復の一方側が第１障壁に連結され他方側が第２障壁に連結されたワイヤ又はベルトと、第１プーリ又は第２プーリを回す回動操作手段とを有することを特徴とする給紙装置。
【請求項６】
請求項５の構成に加えて、給紙台上の用紙束の給紙方向に対する両側面から用紙の積載・移動をガイドする用紙幅方向に可動の第１ガイドおよび第２ガイドと、第１ガイドの後退方向側に配置した第３プーリと、第２ガイドの後退方向側に配置した第４プーリと、これらプーリ間にループ状に懸け渡された往復の一方側が第１ガイドに連結され他方側が第２ガイドに連結されたワイヤ又はベルトと、第１プーリと同軸同回転する第５プーリと、第３プーリと同軸同回転する第６プーリと、第５プーリと第６プーリ間に懸け渡された連動用ワイヤ又は連動用ベルトを有することを特徴とする給紙装置。
【請求項７】
請求項１ないし請求項６のいずれか１項の、チャンバ下面の列状に配列された複数の吸引用開口に換えて、前記配列方向に長い長孔とし、同じく複数列のベルトに換えて吸引孔を面分布させた幅広の１枚ベルトとしたことを特徴とする給紙装置。
【発明の詳細な説明】
【技術分野】
【０００１】
本発明は、給紙台上に積載された用紙束の最上位紙から１枚ずつ給紙する給紙装置の技術分野に属する。
【背景技術】
【０００２】
従来、給紙台上に積載された用紙束の最上位紙を１枚ずつ送給する方法は、用紙束の上方に、給紙方向と直交する方向（用紙の幅方向）に複数の吸引用開口が下面側に配列された吸引チャンバを設け、この吸引チャンバの下面を含む外周に、吸引用開口列の方向と直交するように且つ吸引用開口をふさがないようにして複数列のベルトを周回させ、吸引チャンバ内をファンなどの吸引源により減圧して吸引用開口に吸引力を生じさせ、これにより、用紙束の最上位紙を吸い上げ、周回しているベルトに付着させ、ベルトの走行方向へ給紙するというものである（例えば、特許文献１参照）。
【０００３】
しかし、この装置では、用紙の幅が吸引チャンバの吸引用開口列の長さより小さい場合には、用紙を吸引しても用紙によってふさがれない吸引用開口が生じ、ここから外気が吸引されて吸引チャンバ内に入るため吸引源による減圧効果が低下して、用紙の吸着力が低下して、ジャムや空送りの原因になる。
【０００４】
このようなことを防止する対策として、用紙幅が吸引チャンバの吸引用開口列の長さより小さく用紙によってふさがれない開口部分については、側面から板状シャッタを挿入して開口をふさぐことが考えられる。
吸引チャンバが吸引源側の方を基準として用紙位置を設定する場合には、用紙幅が最も狭い用紙のときに、ふさがれない吸引用開口を総てふさぐに足りる長さ板状シャッタを挿入することになる。
【０００５】
また、吸引チャンバの吸引用開口列の中央と用紙幅の中心を合わせて用紙位置を設定する場合には、用紙幅が最も狭い用紙のときにふさがれない両側の吸引用開口を総てふさぐに足りる長さの板状シャッタを両側から挿入することになる。ただ、後者の方が前者に較べて板状シャッタの長さは半分でよいことになる。
いずれにしても、当該給紙装置の扱う用紙の幅の範囲が広い程シャッタは長くなる。
【０００６】
この他、吸引用開口が、用紙の幅方向に複数配列されているのではなく、大きな吸引用開口が１つ設けられている場合に、用紙幅の両側のガイドフェンスに両側から内向きのシャッタを固定して、用紙幅に応じた吸引用開口を狭めたり拡げたりする例もある（例えば、特許文献２参照）。
【特許文献１】特開２００２−２２６０６８号公報（［００４３］、［００４４］、図２、図５）
【特許文献２】特開平１０−１２０２１３号公報（［００１２］、図１〜図３）
【発明の開示】
【発明が解決しようとする課題】
【０００７】
しかしながら、吸引用開口列を有する吸引チャンバに板状シャッタを用いるようにした場合、用紙幅が、全吸引用開口にかかる場合には板状シャッタを吸引用開口にかからぬように外側へ移動させなければならない。即ち、板状シャッタが吸引チャンバの端部から突出することになり、その為のスペースを設けなければならないという問題がある。
用紙の位置設定が吸引源側基準の場合には、シャッタの突出スペースは吸引チャンバの反対側だけでよいが、用紙の設定位置を中央に合わせた場合には、吸引チャンバの両側にこのようなシャッタ突出スペースを設けなければならなくなる。
【０００８】
また、用紙幅の両側のガイドフェンスに両側から内向のシャッタを設ける場合は、実質吸引用開口幅を用紙幅より左右のシャッタの幅の分だけ狭くしてしまうため吸引効率が低下するという問題がある。
【０００９】
本発明の課題は、上記従来技術の問題点に鑑みて、吸引チャンバの外側に殆どスペースを必要とせず、且つ吸引チャンバの吸引用開口列のうち用紙幅と同じ幅内にある吸引用開口のみが吸引作用をする吸引手段を有する給紙装置を提供することにある。
【課題を解決するための手段】
【００１０】
本発明は、上記の課題を解決するために以下の各構成を有する。
本発明の第１の構成は、下面に複数の吸引用開口が列状に配列され該配列方向の一方側がエア吸引源側である吸引チャンバと、該吸引チャンバの下面を含む外周を吸引用開口の配列方向と直交する方向に周回する複数列のベルトにより、吸引チャンバ下面の下方にある給紙台上に積載された用紙束の最上位用紙を吸引チャンバの下面側を走行するベルトに吸着させてベルト走行方向へ送給する給紙装置であって、エア吸引源の吸引が及ぶ吸引チャンバ内空間を前記吸引用開口の配列方向に増減するよう移動可能の障壁と、この障壁に取り付けられ障壁の移動方向と同じ方向に延び吸引チャンバの吸引用開口の配列方向の非吸引源側端に出ている障壁移動手段を有することを特徴とする給紙装置である。
【００１１】
本発明の第２の構成は、前記第１の構成に加えて、給紙台上の用紙束の給紙方向に対する側面側から用紙の積載・移動をガイドする用紙幅方向に可動の用紙ガイドと、この用紙ガイドの用紙幅方向の移動と障壁移動手段の移動とを連動させる連動機構とを有することを特徴とす給紙装置である。
【００１２】
本発明の第３の構成は、下面に複数の吸引用開口が列状に配列され該配列方向の一方側がエア吸引源側である吸引チャンバと、該吸引チャンバの下面を含む外周を吸引用開口の配列方向と直交する方向に周回する複数列のベルトにより、吸引チャンバ下面の下方にある給紙台上に積載された用紙束の最上位用紙を吸引チャンバの下面側を走行するベルトに吸着させてベルト走行方向へ送給する給紙装置であって、エア吸引源の吸引が及ぶ吸引チャンバ内空間を前記吸引用開口の配列方向に増減するよう移動可能の障壁と、吸引チャンバの非吸引源側外側に配置した第１プーリと、吸引源側に配置した第２プーリと、これらプリー間にループ状に懸け渡された往復の片側が障壁に連結されたワイヤ又はベルトと、第１プーリを回す回動操作手段とを有することを特徴とする給紙装置である。
【００１３】
本発明の第４の構成は、前記第３の構成に加えて、給紙台上の用紙束の給紙方向に対する側面側から用紙の積載・移動をガイドする用紙幅方向に可動の用紙ガイドと、用紙ガイドの後退側に配置した第３プーリと、用紙ガイドの前進側に配置した第４プーリと、これらプーリ間にループ状に懸け渡された往復の片側が用紙ガイドに連結されたワイヤ又はベルトと、第１プーリと同軸同回転する第５プーリと、第３プーリと同軸同回転する第６プーリと、第５プーリと第６プーリ間に懸け渡された連動用ワイヤ又は連動用ベルトを有することを特徴とする給紙装置である。
【００１４】
本発明の第５の構成は、下面に複数の吸引用開口が列状に配列され、その配列方向の途中位置にエア吸引源への連結口がある吸引チャンバと、該吸引チャンバの下面を含む外周を吸引用開口の配列方向と直交する方向に周回する複数列のベルトにより、吸引チャンバ下面の下方にある給紙台上に積載された用紙束の最上位用紙を吸引チャンバの下面側を走行するベルトに吸着させてベルト走行方向へ送給する給紙装置であって、エア吸引源への連結口を含みエア吸引源の吸引が及ぶ吸引チャンバ内の空間を左右対称に増減するように移動可能な第１障壁および第２障壁と、吸引チャンバの吸引用開口配列方向の第１障壁側端部に配置した第１プーリと、第２障壁側端部に配置した第２プーリと、両プーリ間にループ状に懸け渡され往復の一方側が第１障壁に連結され他方側が第２障壁に連結されたワイヤ又はベルトと、第１プーリ又は第２プーリを回す回動操作手段とを有することを特徴とする給紙装置である。
【００１５】
本発明の第６の構成は、前記第５の構成に加えて、給紙台上の用紙束の給紙方向に対する両側面から用紙の積載・移動をガイドする用紙幅方向に可動の第１ガイドおよび第２ガイドと、第１ガイドの後退方向側に配置した第３プーリと、第２ガイドの後退方向側に配置した第４プーリと、これらプーリ間にループ状に懸け渡された往復の一方側が第１ガイドに連結され他方側が第２ガイドに連結されたワイヤ又はベルトと、第１プーリと同軸同回転する第５プーリと、第３プーリと同軸同回転する第６プーリと、第５プーリと第６プーリ間に懸け渡された連動用ワイヤ又は連動用ベルトを有することを特徴とする給紙装置である。
【００１６】
本発明の第７の構成は、前記第１ないし第６の構成におけるチャンバ下面の列状に配列された複数の吸引用開口に換えて、前記配列方向に長い長孔とし、同じく複数列のベルトに換えて吸引孔を面分布させた幅広の１枚ベルトとしたことを特徴とする給紙装置である。
【発明の効果】
【００１７】
本発明の第１の構成では、吸引チャンバ内に、吸引用開口の配列方向の一方側にあるエア吸引源の吸引が及ぶ空間を吸引用開口の配列方向に増減するよう移動可能な障壁が設けられているので、吸引チャンバの吸引源側からこの障壁までが吸引の及ぶ範囲となりその範囲に配列されている吸引用開口は用紙吸引機能を有し、障壁から吸引源とは反端側端までの範囲は吸引作用は及ばない。
そしてこの障壁は吸引用開口の配列方向に移動可能であるから吸引の及ぶ範囲を給紙する用紙の幅に合わせることができる。
従って、この範囲外の吸引用開口からは吸引の及んでいる範囲へ外気は流入せず、その範囲の吸引用開口の吸引効果を減殺することはない。
【００１８】
このような障壁を移動させるためには、障壁に連結した棒かワイヤでよく、吸引チャンバの外に従来のような吸引用開口をふさぐだけの幅のあるシャッタを用いた場合のようなスペースを必要としないという利点がある。
棒状移動手段の場合には、棒が突出するスペースは必要であり、ワイヤを用いた場合には、ワイヤをかけるプーリだけのスペースがあればよいという利点もある。
【００１９】
第２の構成は、第１の構成に加えて、障壁移動手段と、給紙台上の用紙の積載・移動を給紙方向に対する側面からガイドする用紙ガイドを連動機構で連動するようにしているので、給紙台上の給紙すべき用紙束の幅が変わった場合には、用紙ガイドをこの用紙束の幅に合わせるだけで、吸引チャンバ内の障壁も用紙束の幅に合った位置に設定されることになるという利点がある。
【００２０】
第３の構成は、吸引源が吸引チャンバの吸引用開口の配列方向の一方端側にある場合の障壁移動手段として、吸引チャンバの非吸引源側の外側に第１プーリを設け、吸引源側に第２プーリを設け、この２つのプーリにループ状に懸け渡したワイヤ又はベルトの往復いずれか一方と障壁を連結し、第１プーリに例えばつまみのような回動操作手段を設けたものとしたので、吸引チャンバの外側にはプーリ１個とこれを回すためのつまみ１つがあればよく、障壁移動手段のためのスペースを殆どとらずに済むという利点がある。
【００２１】
第４の構成は、用紙束の給紙方向と直交する用紙幅方向の位置を規定する用紙ガイドの移動手段として、用紙ガイドの後退側に第３プーリを前進側に第４プーリを設け、この２つのプーリにループ状に懸け渡したワイヤ又はベルトの往復いずれか一方を用紙ガイドを連結し、更に、前記第３の構成の第１プーリと同軸同回転する第５プーリと、同じく第３プーリと同軸同回転する第６プーリを設け、この第５プーリと第６プーリに連動用ワイヤ又は連動用ベルトを懸け渡しているので、第１プーリの回動操作手段を回すと吸引チャンバ内の障壁が移動するとともに第３プーリも回転して用紙ガイドが連動するので、給紙台上の給紙すべき用紙束の幅が変わった場合には、第１プーリの回動操作手段を回して用紙ガイドをこの用紙束の幅に合わせるだけで、吸引チャンバ内の障壁も用紙束の幅に合った位置に設定されることになるという利点がある。
【００２２】
第５の構成は、給紙台上の用紙束配置が前記第１ないし第４の構成のように用紙幅が変わってもその片側の位置は同じとする片側基準ではなく、用紙幅が変わっても用紙の中央位置を同じとする中央基準の場合に対応するものであり、吸引チャンバの吸引源への連結口も吸引用開口配列方向の途中にある場合が対象の構成である。
【００２３】
第５の構成では、吸引チャンバの吸引用開口配列方向において吸引源連結口の一方側と他方側にそれぞれ第１の障壁と第２の障壁を設け、第３の構成と同様に第１プーリと第２プーリを設けてこれにワイヤ又はベルトを懸け渡し、その往復いずれか一方を第１の障壁に連結し、他方を第２の障壁に連結しているのでいずれかのプーリの回動手段を回すと２つの障壁は互いに近付いたり遠ざかったりする。
【００２４】
従って、この両障壁間の中心位置と給紙台上の用紙束の中心位置を設定すべき中心基準位置とを予め合わせて置くことにより、用紙幅が変わっても、回動操作により容易に左右対称に障壁位置を用紙幅に合わせることができる。
このように、２つの障壁を移動させるにも、第３の構成と同様に吸引チャンバの外側にはプーリ１個とこれを回すためのつまみがあればよく障壁移動手段のためのスペースを殆どとらずに済むという利点がある。
【００２５】
第６の構成は、第５の構成に加えて、給紙台上の中心基準位置に用紙束の中心を合わせるため中心基準位置の両側に設けられる第１ガイドと第２ガイドの移動手段として、第１ガイドの後退方向に第３プーリ、第２ガイドの後退方向に第４プーリを設け、この２つのプーリにループ状に懸け渡したワイヤ又はベルトの往復いずれか一方は第１ガイドに連結し、他方を第２ガイドに連結し、更に前記第５の構成の第１プーリと同軸同回転する第５プーリと、同じく第３プーリと同軸同回転する第６プーリを設け、この第５プーリと第６プーリに連動用ワイヤ又は連動用ベルトを懸け渡しているので、第１プーリの回動操作手段を回すと、吸引チャンバ内での第１障壁と第２障壁が近付いたり遠ざかったりするのと連動して、第１ガイドと第２ガイドも近付いたり遠ざかったりするので、予め第１障壁の位置と第１ガイドの位置および第２障壁の位置と第２ガイドの位置を合わせておくことより、給紙台上の給紙すべき用紙束の幅が変わった場合、第１プーリの回動操作手段を回して第１ガイドと第２ガイドをこの用紙束の幅に合わせるだけで吸引チャンバの障壁も用紙束の幅に合った位置に設定されることになるという利点がある。
【００２６】
第７の構成の効果は、前記第１の構成ないし第６の構成のいずれかの構成の効果と同様の効果を有する。
【発明を実施するための最良の形態】
【００２７】
本発明に用いる障壁は、吸引チャンバの、吸引用開口配列方向で見た垂直断面をふさぐ形状で、移動を円滑ならしめるため、吸引用開口が設けられている面と直交する向かい合う壁に移動用のガイドレールを設けるのがよい。
【００２８】
第１の構成における障壁移動手段は、その支持構造との滑らかな移動を実現するために丸棒が望ましい。
また、障壁移動のため第１、第２プーリに懸け渡す移動力伝達手段は吸引チャンバの気密保持の点からみてワイヤが望ましい。
【００２９】
これに対して、用紙ガイド連動用の第３プーリ、第４プーリ間および第５プーリ、第６プーリ間は歯付きベルトにするのが望ましい。
その理由は、これをワイヤにすると、第１プーリの回動操作手段を回して、用紙ガイドが用紙束の側面に当接した後も、力を入れるとプーリとワイヤが滑って第１プーリが回ってしまいその分だけ障壁が移動してしまい、実際の用紙束の幅と障壁の位置がずれてしまうということが起こり得るからである。
【実施例】
【００３０】
以下、本発明の実施例を図面を参照して説明する。
図４、図５は、本発明を実施する給紙装置の基本構造説明図である。
図４の（ａ）は給紙台８上に載置された用紙束１０の最上位用紙が左へ送給される場合の側面図である。
用紙束１０の上には吸引チャンバ１が設けられており、この吸引チャンバ１の外周を前方プーリ２８と後方プーリ２９に懸け渡されたベルト５が右周回するようになっている。吸引チャンバ１の紙面向う側端はエア吸引源に連なっている。吸引チャンバ１の底面には図４の（ｂ）に示すように多数の吸引用開口２が、給紙方向と直交する方向に配列されている。このような吸引チャンバ１に、（ｃ）に示すようにベルト５が多数周回している。（ｂ）、（ｃ）はいずれも（ａ）の吸引チャンバ１の手前側を上に持ち上げてその底面を見た状況を示している。ベルト５は、吸引用開口２が覗けるような間隔を開け配列されている。
【００３１】
図５は、図４の（ａ）を右側（後方）から見た図である。
図４の（ａ）では示されていなかったエア吸引源３０および用紙位置基準板３１が示されている。
用紙束１０の幅が大きい場合も小さい場合も、その右辺が用紙位置基準板３１の位置になるようにして載置される。用紙ガイド６は、用紙束１０を右方へ寄せるとともに積載および給紙方向のガイドをする。
【００３２】
以上のような構成において動作を開始させると、エア吸引源３０は吸引作用により吸引チャンバ１内を減圧する。
この減圧により吸引チャンバ１の各吸引用開口２も外気とともに用紙束１０の最上位紙を吸い上げる。
吸引チャンバ１の下面にはベルト５があるため、用紙はベルト５に張り付いて吸引用開口２をふさぐような状態となる。ベルト５は図４の（ａ）の矢印のように回っているので、張り付いた用紙は左方へ送給されるということになる。
【００３３】
ところで、今、用紙束１０の幅が図５のように吸引チャンバ１の長さよりも小さい場合には、Ａの部分には用紙がないため、この部分の吸引用開口からは外気がどんどん流入し、吸引チャンバ１内の減圧効果を弱くしてしまうため、用紙のベルト５への付着力も低下してジャムや空送りが生じてしまうので、このようなことがないようにしようというのが本発明である。
【００３４】
図１は第１の実施例の構成を示す図である。
図５と同様に後方から見て、更に吸引チャンバ１およびベルト５を断面で見た図である。即ち、図４の（ｃ）を真中で縦割にしてその断面を横にして見ている図である。
本発明の特徴は、吸引チャンバ１内に、左右に移動可能で空気の流れを殆ど遮断する障壁３を設けたことである。移動は障壁移動桿４をその長手方向に押し込んだり引き出したりして行う。設定は、用紙束１０の幅位置に合わせる。
【００３５】
こうすることにより、吸引チャンバ１内の空間でエア吸引源３０によって減圧されるのは用紙がある部分だけとなり、Ａの範囲における吸引用開口２からは空気が流入しないので、用紙幅範囲内の減圧効果が弱められことなく、用紙はしっかり吸着されて給送されることになる。
【００３６】
更に、用紙ガイド６と障壁３とが用紙幅方向で同じ位置を保って連動するように運動桿７で連結しておくと、給紙台８上で、片寄せガイド９に片寄せされた用紙束１０の反対側側面位置に用紙ガイド６を移動させるようにするだけで、障壁３の位置も用紙幅の位置に設定されるので用紙束１０の幅が変わった場合にも設定が容易であるという利点がある。
【００３７】
図２は、本発明の第２の実施例の構成を示す図である。第２の実施例では障壁３の移動手段としてプーリとワイヤを用いている。
図２は、図４の（ａ）の図の右側に立って上から見下ろしたときの吸引チャンバ１の内部図とプーリ、ワイヤ関係を示す図である。
吸引チャンバ１の左側に第１プーリ１１を設け、右側吸引源側の方に第２プーリ１２を設け、この２つのプーリにワイヤ１３をループ状に懸け渡している。
このワイヤ１３は吸引チャンバ１内を通っているものであり、図で下側のワイヤ１３は障壁３に連結具１４で連結固定されており、上側のワイヤは障壁３に設けた貫通孔を通っており相互の移動を妨げないようになっている。
【００３８】
第１プーリ１１の軸には、図示されていないつまみ等の回動操作手段が取り付けられている。吸引チャンバ１の左端側壁は有っても無くともよいが有る場合にはワイヤ１３の貫通用の孔が設けられる。
つまみを右回しにすると障壁３は左へ移動し、左回しにすると右へ移動する。
エア吸引源３０による減圧効果が及ぶのは障壁３より右側の内部空間のみで、左側空間には及ばないこと図１の場合と同様である。従って、図示されていないが用紙束１０は右方にある片寄せガイドに当接させた状態で、幅位置に障壁３が来るようにつまみを回すことになる。その結果、用紙に対する吸着力が低下しないことは図１の場合と同じである。
【００３９】
ただ図１の場合は、用紙幅が大きくなると障壁移動桿４が左方へ長く突出するのに比べて、図２の場合はそのようなことがないという利点がある。
更に、用紙ガイド６と連動させることにより、用紙幅の変更がある場合の操作が容易になることも図１の場合と同様である。
【００４０】
図２では、用紙ガイド６の左右ほぼ第１プーリ１１と第２プーリ１２と対応する位置に、第３プーリ１６と第４プーリ１８を設けて、この２つのプーリ間に歯付きベルト２０をループ状に懸け渡し、図で下側の歯付きベルト２０を連結具２１で用紙ガイド６に連結固定し、更に、第１プーリ１１と同軸同回転する第５プーリ１５と第３プーリ１６と同軸同回転する第６プーリ１７を設け、この第５プーリ１５と第６プーリ１７の間に歯付きベルト１９を懸け渡している。
【００４１】
以上の構成により障壁３と用紙ガイド６は同じ向きに連動移動するから、最初の設定時に障壁３の位置と用紙ガイド６の位置を合わせて置くと、用紙束の幅が変わった場合でも用紙ガイド６を用紙幅に合わせるだけで障壁３の位置設定の調整は行う必要がない。
なお、用紙ガイド６との連動用に歯付きベルトを用いる理由は、ワイヤにすると用紙ガイド６が用紙束の側面に当接しても、つまみに力を入れるとワイヤが滑ってつまみが回り、その分だけ障壁３が移動してしまい用紙ガイドの位置と一致しなくなってしまうからである。
【００４２】
図３は、第３の実施例の構成を示す図である。
第１、第２の実施例が、給紙台上に用紙を載置する際に用紙幅にかかわらず、幅方向の決まった側へ片寄せして給紙を行うものであったのに対し、第３の実施例は用紙の幅中央を給紙台の基準位置に合わせて載置するという中央基準の場合に適した実施例である。
【００４３】
中央基準であるから、給紙台上における用紙幅の変化は基準位置（多くは中央）を中心にして左右対称に拡がったり縮まったりする。従って、吸引チャンバ１の吸引の及ぶチャンバ内空間の範囲も基準を中心にして左右対称に拡がったり、狭まったりしなければならない。そのためエア吸引源への連結口は基準位置付近に設け、障壁は基準位置を中心にして左右対称の位置になければならない。
【００４４】
図３の例では、図中央の点線で示された位置にエア吸引源への連結口を設け、この左右両側に第１障壁２２と第２障壁２３を設け、この両障壁の間の空間を吸引の及ぶ空間としている。即ち、この幅を用紙の幅に合わせることにより用紙の吸引を確実に行えることになる。
なお、ベルト５や前方プーリ２８、後方プーリ２９は図示を省略している。
【００４５】
そして、この２つの障壁の移動手段として図２の場合と同様に第１プーリ１１と第２プーリ１２を設けて、ワイヤ１３を懸け渡し、図で上側になるワイヤ１３は連結具２６で第１の障壁２２と連結固定し、下側になるワイヤ１３は連結具１４で第２障壁２３に連結固定されている。従って、第１プーリ１１のつまみを右へ回すと両障壁は近付き、左へ回すと両障壁は遠ざかるように移動する。こうして両障壁の間隔を用紙の幅に合わせることにより吸引用開口２による吸引力をこの範囲内に集中して、用紙の吸い上げおよびベルト５への張り付きを確実なものとしている。
【００４６】
また、障壁移動手段がプーリとワイヤで構成されているため、図１の障壁移動桿４のように吸引チャンバ１から突出することがない点は図２の場合と同様である。
図３では更に、給紙台上の用紙束を左右から位置決めガイドする第１ガイド２４および第２ガイド２５を第１障壁２２および第２障壁２３とほぼ同じ位置を保ちつつ連動するようにしている。
【００４７】
図３では、第１プーリ１１と第２プーリ１２とほぼ対応する位置に第３プーリ１６と第４プーリ１８を設け、この２つのプーリ間に歯付きベルト２０をループ状に懸け渡し、図で下側の歯付きベルト２０は連結具２１で第２ガイド２５に連結固定し、図で上側の歯付きベルト２０は連結具２７で第１ガイド２４と連結固定し、更に、第１プーリ１１と同軸同回転する第５プーリ１５と、第３プーリ１６と同軸同回転する第６プーリ１７を設け、この第５プーリ１５と第６プーリ１７の間に歯付きベルト１９を懸け渡している。
【００４８】
以上の構成により、第１プーリ１１の回転つまみを回すと、第１障壁２２および第２障壁２３と、第１ガイド２４および第２ガイド２５は、用紙幅方向での同じ位置関係を保ちながら、近付いたり遠ざかったりする。
従って、用紙束の幅が変わった場合でも、第１ガイド２４と第２ガイド２５が用紙束の側面をガイドする位置になるようにつまみを回すと、第１障壁２２および第２障壁２３も当然に用紙の幅に合った位置に来ることとなり別途の調整は不要となる。
第５プーリ１５と第６プーリ１７との間、および第３プーリ１６と第４プーリ１８との間に歯付きベルトを用いている理由は第２の実施例の場合と同じである。
【００４９】
以上の実施例においては、吸引用開口は用紙幅の方向に複数の孔が配列されたものであるが、これを隣り合う吸引用開口間の境を取り払って前記配列方向（幅方向）に長い孔に換え、また複数列のベルトを幅広の１枚ベルトに換えそのベルトに面分布的に多数の吸引孔を設けたものにしてもよい。
【図面の簡単な説明】
【００５０】
【図１】本発明の第１の実施例の構造を示す図である。
【図２】本発明の第２の実施例の構造を示す図である。
【図３】本発明の第３の実施例の構造を示す図である。
【図４】本発明が適用される給紙装置の構造概要を示す図である。
【図５】本発明が適用される給紙装置の構造概要を示す図である。
【符号の説明】
【００５１】
１  吸引チャンバ
２  吸引用開口
３  障壁
４  障壁移動桿
５  ベルト
６  用紙ガイド
７  連動桿
８  給紙台
９  片寄せガイド
１０  用紙束
１１  第１プーリ
１２  第２プーリ
１３  ワイヤ
１４  連結具
１５  第５プーリ
１６  第３プーリ
１７  第６プーリ
１８  第４プーリ
１９  歯付きベルト
２０  歯付きベルト
２１  連結具
２２  第１障壁
２３  第２障壁
２４  第１ガイド
２５  第２ガイド
２６  連結具
２７  連結具
２８  前方プーリ
２９  後方プーリ
３０  エア吸引源
３１  用紙位置基準板
【図１】
2007197101.tif 000003
【図２】
2007197101.tif 000004
【図３】
2007197101.tif 000005
【図４】
2007197101.tif 000006
【図５】
2007197101.tif 000007